(57)【要約】【課題】光ファイバケーブルをスロットのスロット溝に集合させる集合工程において集合線速向上を可能にさせる光ファイバケーブルの集合方法およびその方法に用いるスロット検出板を提供することにある。【解決手段】中心に中心抗張力体２７を長手方向に有し、かつ外周面にその長手方向に沿って設けた適数のＳＺスロット溝２９を備えたスロット３を集合装置１１に供給し、前記スロット３のＳＺスロット溝２９に対応して前記集合装置１１に備えられたスロット検出板３３に径方向の外側および内側へ突出して設けられた軸回転可能なガイドピン４１を前記ＳＺスロット溝に位置した状態で、１つ又は複数の光ファイバ心線７を前記ＳＺスロット溝に収納すべく前記集合装置１１によりＳＺ交互に捻回した状態で集合することを特徴とする。【選択図】      図１
2005024854.tif 000002
【特許請求の範囲】
【請求項１】
中心に中心抗張力体を長手方向に有し、かつ外周面にその長手方向に沿って設けた適数のＳＺスロット溝を備えたスロットを集合装置に供給し、前記スロットのＳＺスロット溝に対応して前記集合装置に備えられたスロット検出板に径方向の外側および内側へ突出して設けられた軸回転可能なガイドピンを前記ＳＺスロット溝に位置した状態で、１つ又は複数の光ファイバテープ心線を前記ＳＺスロット溝に収納すべく前記集合装置によりＳＺ交互に捻回して集合することを特徴とする光ファイバケーブルの集合方法。
【請求項２】
前記ガイドピンが内側先端がアール形状をしていることを特徴とする請求項１記載の光ファイバケーブルの集合方法。
【請求項３】
スロットのＳＺスロット溝に対応して集合装置に備えられたスロット検出板であって、ガイドピンがスロット検出板本体の径方向の外側および内側へ突出して装着されていることを特徴とするスロット検出板。
【請求項４】
前記ガイドピンがスロット検出板本体に対して軸方向に回転可能で、かつ内側先端がアール形状をしていることを特徴とする請求項３記載のスロット検出板。
【発明の詳細な説明】
【０００１】
【発明の属する技術分野】
この発明は、ＳＺスロット型ケーブルを製造する工程の光ファイバケーブルの集合方法およびその方法に用いるスロット検出板に関する。
【０００２】
【従来の技術】
従来、ＳＺスロット型ケーブルを製造する工程の集合時では、例えば光ファイバテープ心線をスロットの外周面に設けられた適数のスロット溝内に集合装置で集合させる工程において、図６（Ａ）に示されているように、集合装置にはスロット検出板１０１が備えられており、このスロット検出板１０１の内周面には円周方向に適宜な間隔例えば６個の固定ガイドつめ１０３がスロット検出板１０１の中心に向けて突出して固定されている。
【０００３】
そして、動作時には、図６（Ｂ）に示されているように、中心に中心抗張力体１０５を長手方向に有し、かつ外周面にその長手方向に沿って設けた適数例えば６個のＳＺスロット溝１０７を備えたスロット１０９が集合装置に供給されてきて、スロット検出板１０１の固定ガイドつめ１０３が前記ＳＺスロット溝１０７にはめ込まれ、光ファイバテープ心線が集合装置によりＳＺ交互に捻回されながら挿入されて収納されることで集合される。このとき、前記スロット検出板１０１が、ＳＺスロット溝１０７の位相と共に回転されるが、このスロット検出板１０１の回転量を例えば図示省略のエンコーダで検出することによって、ＳＺスロット溝１０７における位置、位相を検出する方法等が挙げられる。
【０００４】
【特許文献１】
特許第２７８０２９０号
【０００５】
【発明が解決しようとする課題】
ところで、上述した従来の固定ガイドつめ１０３を備えたスロット検出板１０１を用いた場合には、特にスロット１０９のねじれ剛性が小さい場合、スロット検出板１０１が持つトルクによってスロット１０９が捻られてしまう。このとき、固定ガイドつめ１０３によりＳＺスロット溝１０７の内側壁が削られてしまう現象が生じる。そして、これまでは、集合線速を下げてこの削れが発生しないようにしていた。
【０００６】
集合線速が速い場合は、ＳＺスロット溝１０７のＳＺ位相により、スロット検出板１０１が高速で左右に振られる。スロット検出板１０１における回転の加速度は大きい、すなわち、スロット検出板１０１が回転するのに要する力が大きくなり、この結果、スロット１０９のＳＺスロット溝１０７と固定ガイドつめ１０３の間の摩擦抵抗が大きくなって、ＳＺスロット溝１０７の内側壁が削れる。
【０００７】
一方、集合線速が十分遅い場合は、スロット検出板１０１にかかる回転の加速度は小さくなり、この結果、スロット検出板１０１が回転するのに要する力も小さくなる。これにより、スロット１０９のＳＺスロット溝１０７と固定ガイドつめ１０３の間の摩擦抵抗も小さくなり、ＳＺスロット溝１０７の削れもなくなる。
【０００８】
この発明は上述の課題を解決するためになされたもので、その目的は、光ファイバケーブルをスロットのスロット溝に集合させる集合工程において集合線速向上を可能にさせる光ファイバケーブルの集合方法およびその方法に用いるスロット検出板を提供することにある。
【０００９】
【課題を解決するための手段】
上記目的を達成するために請求項１によるこの発明の光ファイバケーブルの集合方法は、中心に中心抗張力体を長手方向に有し、かつ外周面にその長手方向に沿って設けた適数のＳＺスロット溝を備えたスロットを集合装置に供給し、前記スロットのＳＺスロット溝に対応して前記集合装置に備えられたスロット検出板に径方向の外側および内側へ突出して設けられた軸回転可能なガイドピンを前記ＳＺスロット溝に位置した状態で、１つ又は複数の光ファイバテープ心線を前記ＳＺスロット溝に収納すべく前記集合装置によりＳＺ交互に捻回して集合することを特徴とする構成である。
【００１０】
請求項２によるこの発明の光ファイバケーブルの集合方法は、請求項１記載の光ファイバケーブルの集合方法において、前記ガイドピンが内側先端がアール形状をしていることを特徴とする構成である。
【００１１】
請求項３によるこの発明のスロット検出板は、スロットのＳＺスロット溝に対応して集合装置に備えられたスロット検出板であって、ガイドピンがスロット検出板本体の径方向の外側および内側へ突出して装着されていることを特徴とするこうせいである。
【００１２】
請求項４によるこの発明のスロット検出板は、請求項３記載のスロット検出板において、前記ガイドピンがスロット検出板本体に対して軸方向に回転可能で、かつ内側先端がアール形状をしていることを特徴とする構成である。
【００１３】
【発明の実施の形態】
以下、この発明の実施の形態について図面を参照して詳細に説明する。
【００１４】
図１（Ａ）を参照するに、光ファイバケーブル製造装置１としてはスロット３を送り出すスロット送出装置５と、複数の光ファイバテープ心線７を送り出す光ファイバテープ心線送出装置９と、複数の光ファイバテープ心線７を集合するための集合装置１１と、この集合装置１１で集合された光ファイバテープ心線７及びスロット３の周囲に押え巻きテープ１３を上巻きするための押え巻き装置１５と、この押え巻き装置１５で巻かれた押え巻きテープ１３の上にシース樹脂Ｐを被覆して光ケーブル１７を押出成形するするための押出機１９と、この押出機１９で被覆された光ケーブル１７を巻き取るためのケーブル巻き取り装置２１と、から構成されている。そして、前記スロット送出装置５と集合装置１１との間にはスロットの巻きぐせを矯正するスロット直線化装置２３が設けられている。
【００１５】
この実施の形態で、前記スロット送出装置５には１個のスロット送出ボビン２５が備えられ、図１（Ｂ）に示されているように、中心に中心抗張力体２７を長手方向に備えたスロット３が巻かれている。このスロット３には例えばＳＺに位相が変化する６つのスロット溝２９が形成されている。
【００１６】
前記光ファイバテープ心線送出装置９としては、図１（Ａ）には１個しか示されていないが、例えば、３０個の光ファイバテープ心線送出ボビン３１が備えられ、各光ファイバテープ心線送出ボビン３１には例えばそれぞれ４心光ファイバテープ心線７が巻かれている。
【００１７】
前記集合装置１１としては、スロット溝検出板３３が備えられている。このスロット溝検出板３３は図２、図３（Ａ）、（Ｂ）に示されているように、円盤状のスロット溝検出板本体３５を備えており、このスロット溝検出板本体３５の円周上には適宜な間隔例えば６０°間隔に径方向へ貫通孔３７が形成されている。この各貫通孔３７に軸受け３９を介して軸回転可能なガイドピン４１が装着されている。このガイドピン４１は外側および内側へそれぞれ突出しており、内側の先端はアール形状のアール面４３を形成せしめている。
【００１８】
前記集合装置１１は、スロット３のスロット溝２９に４心光ファイバテープ心線７をＳＺ撚りするために時計、反時計方向に交互に繰り返し回転するように構成されている。
【００１９】
上記のスロット送出ボビン２５が回転されてスロット３がスロット３の巻きぐせを矯正するスロット直線化装置２３をとおり、さらに集合装置１１のスロット溝検出板３３のスロット溝検出板本体３５内の中心をとおるように送り出される。このとき、スロット溝検出板本体３５の軸回転可能なガイドピン４１はスロット溝２９内に位置合わせされている。そして、上記の３０個の光ファイバテープ心線送出ボビン３１が回転されて５本の４心光ファイバテープ心線７が各々ＳＺスロット溝２９に積層されて挿入されるように送り出される。この状態で、集合装置１１を作動させることで５本の４心光ファイバテープ心線７がスロット溝２９に積層されて挿入されるようにＳＺ（左右）方向に交互に回転される。
【００２０】
押え巻き装置１５では、各ＳＺスロット溝２９に５本の４心光ファイバテープ心線７が積層して挿入された状態のスロット３の周囲に押え巻きテープ１３が重ね巻きされて、押出機１９のシース樹脂用ダイス４５に送り出される。
【００２１】
押出機１９では、スロット３に巻かれた押え巻きテープ１３上にシース樹脂Ｐがシース樹脂用ダイス４５にて押出成形されて光ケーブル１７の被覆とし、ケーブル巻き取り装置２１に備えた巻き取り用の光ケーブルドラム４７に巻き取られる。
【００２２】
前記スロット溝検出板本体３５には各ガイドピン４１が軸受け３９（ボールベアリング）を介して装着されることで、ＳＺスロット溝２９のＳＺ位相変化により、摩擦力により前記各ガイドピン４１が軸回転される。または、図４に示されるように、スロット溝検出板本体３５と各ガイドピン４１の接点を曲面４９にすることで、各ガイドピン４１がスロット溝検出板本体３５に対して軸回転されるようになっている。
【００２３】
スロット溝検出板本体３５の回転数は、図５に示されるように、スロット溝検出板本体３５に連結板５１を介して取付けられた歯車５３に別の歯車５５が噛合され、この歯車５５に設けられたエンコーダ５７で検出されるものである。
【００２４】
次に、Ｇ−ＦＲＰ（Ｇｌａｓｓ  Ｆｉｂｅｒ  Ｒｅｉｎｆｏｒｃｅｄ  Ｐｌａｓｔｉｃｓ）製φ２．０ｍｍの中心抗張力体２７を中心に持つ、外径φ６．０ｍｍ、溝数６のスロット３を使用して、光ケーブル１７を得る実験を行った。従来の固定ガイドつめ１０３の付いたスロット溝検出板１０１を用いた場合と、この実施の形態のガイドピン４１の付いたスロット溝検出板３３を用いて、両者の差を比較した。
【００２５】
（実施例１）
従来の固定ガイドつめ１０３の付いたスロット溝検出板１０１、軸回転させないガイドピン４１の付いたスロット溝検出板３３、軸回転させるガイドピン４１の付いたスロット溝検出板３３の３種類のスロット溝検出板を用意し実験を行った。集合ライン上の１ケ所に、１個のスロット溝検出板を設置し、集合線速を変えながら上記スロット３（１０９）を通過させた。良否の判断は、スロット溝検出板を通過した後のスロット３（１０９）を観察し、削れが有るか無いかで行った。この結果を表１に示す。表１には、現行のスロット溝検出板での限界集合線速（スロットに傷がつかなかった最速集合線速）に対する各スロット溝検出板における相対値を記入している。
【００２６】
【表１】
2005024854.tif 000003
その結果、スロット溝検出板を改良することにより、従来に比べて、２．３〜３．２倍の集合線速向上が可能となった。
【００２７】
したがって、従来の固定ガイドつめ１０３の付いたスロット溝検出板１０１から、軸回転可能なガイドピン４１の付いたスロット溝検出板３３に変更することにより、スロット３の削れを発生させることなく、集合線速をあげることができる。ガイドピン４１をＳＺスロット溝２９との摩擦によって軸回転させる方が、軸回転させない方よりも集合線速をよりあげることができる。
【００２８】
なお、この発明は前述した実施の形態に限定されることなく、適宜な変更を行うことによりその他の態様で実施し得るものである。
【００２９】
【発明の効果】
以上のごとき発明の実施の形態の説明から理解されるように、請求項１〜４の発明によれば、軸回転可能なガイドピンを備えたスロット検出板を用いたので、スロットのＳＺスロット溝との摩擦による削れを発生させることなく、集合線速を上げることができる。
【図面の簡単な説明】
【図１】（Ａ）はこの発明を説明するための光ファイバケーブルの製造装置の概略的な全体説明図で、（Ｂ）は（Ａ）におけるＢーＢ線に沿った拡大図である。
【図２】スロット溝検出板内にスロットを挿入した状態の拡大斜視図である。
【図３】（Ａ）はスロット溝検出板の拡大断面図で、（Ｂ）は（Ａ）のスロット溝検出板内にスロットを挿入した状態の拡大断面図である。
【図４】ガイドピンがスロット溝検出本体に対して回転される一例を示した図である。
【図５】ガイドピンの回転数を検出する一例を示した図である。
【図６】（Ａ）は従来のスロット溝検出板の拡大断面図で、（Ｂ）は（Ａ）のスロット溝検出板内にスロットを挿入した状態の拡大断面図である。
【符号の説明】
１  光ファイバケーブル装置
３  スロット
５  スロット送出装置
７  光ファイバテープ心線
９  光ファイバテープ心線送出装置
１１  集合装置
１３  押え巻きテープ
１５  押え巻き装置
１７  光ケーブル
１９  押出機
２１  ケーブル巻き取り装置
２３  スロット直線化装置
２５  スロット送出装置
２７  中心抗張力体
２９  ＳＺスロット溝
３１  光ファイバテープ心線送出ボビン
３３  スロット溝検出板
３５  スロット溝検出板本体
３７  貫通孔
３９  軸受け
４１  ガイドピン
４３  アール面
４５  シース樹脂用ダイス
４７  光ケーブルドラム
４９  曲面
５１  連結板
５３，５５  歯車
５７  エンコーダ
【図１】
2005024854.tif 000004
【図２】
2005024854.tif 000005
【図３】
2005024854.tif 000006
【図４】
2005024854.tif 000007
【図５】
2005024854.tif 000008
【図６】
2005024854.tif 000009